(57)【要約】【課題】左右風向変更羽根の通風路内への収納性を確保しつつ、左右方向の風向変更性能を向上とさせる空気調和機を提供すること。【解決手段】熱交換して吹出口２ｃから吹き出すための気流を発生させるファン６と、ファン６の下流に配置されて空気の流れを吹出口２ｃへ案内するリアガイダ７と、リアガイダ７に対向して配置されたスタビライザ１１と、吹出口２ｃに回動可能に設けられ、ファン６から空気の流れる方向を上下方向に変更する上下風向変更羽根８と、ファン６から空気の流れる方向を左右方向に変更する左右風向変更羽根９とを備え、左右風向変更羽根９は、一端がリアガイダ７またはスタビライザ１１に保持され、他端が上下風向変更羽根８に保持された、板状の弾性体である。【選択図】図２
2017161185.tif 000002
【特許請求の範囲】
【請求項１】
空気の取入口と吹出口を有する本体と、
前記取入口から取り入れた空気を熱交換する熱交換器と、
前記熱交換器において熱交換して前記吹出口から吹き出すための気流を発生させるファンと、
前記ファンの下流に配置されて空気の流れを前記吹出口へ案内するリアガイダと、
前記リアガイダに対向して配置されたスタビライザと、
吹出口に回動可能に設けられ、前記ファンから空気の流れる方向を上下方向に変更する上下風向変更羽根と、
前記ファンから空気の流れる方向を左右方向に変更する左右風向変更羽根とを備え、
前記左右風向変更羽根は、一端が前記リアガイダまたは前記スタビライザに保持され、他端が前記上下風向変更羽根に保持された、板状の弾性体である空気調和機。
【請求項２】
前記左右風向変更羽根は、一端が支持板を介して、前記リアガイダまたは前記スタビライザに保持される、請求項１に記載の空気調和機。
【請求項３】
空気の取入口と吹出口を有する本体と、
前記取入口から取り入れた空気を熱交換する熱交換器と、
前記熱交換器において熱交換して前記吹出口から吹き出すための気流を発生させるファンと、
前記ファンの下流に配置されて空気の流れを前記吹出口へ案内するリアガイダと、
前記リアガイダに対向して配置されたスタビライザと、
吹出口に回動可能に設けられ、前記ファンから空気の流れる方向を上下方向に変更する上下風向変更羽根と、
前記ファンから空気の流れる方向を左右方向に変更する左右風向変更羽根とを備え、
前記左右風向変更羽根は、一端が前記リアガイダまたは前記スタビライザに保持され、他端が前記上下風向変更羽根に保持されるとともに、複数の板からなり、前記本体の左右方向に前記複数の板を重ね合わせることで、折りたたんだ状態となる、空気調和機。
【発明の詳細な説明】
【技術分野】
【０００１】
本発明は、空気調和機の室内機に関するものである。
【背景技術】
【０００２】
従来技術について、図５、図６を参照して説明する。図５は、空気調和機の室内機の外観を表す斜視図である。筐体１０１は、本体１０２と、本体１０２に着脱可能に被せられた前面カバー１０３と、前面カバー１０３の前方に開閉自在に取付けられた正面パネルとを備えている。
【０００３】
筐体１０１の上部および前方には、室内空気の吸込口１０２ａおよび吸込口１０２ｂがそれぞれ形成されている。また、筐体１０１の下部前方には、吹出口１０２ｃが形成されている。
【０００４】
筐体１０１の中央内部を側面から見ると図６のようになっている。吸込口１０２ａ、１０２ｂと吹出口１０２ｃとの間の空気通路（送風路）１１０には、着脱自在なエアーフィルタ１０４と、複数に分割して前後に屈曲させた室内熱交換器１０５と、室内熱交換器１０５により熱交換された空気を吹出口１０２ｃへ送出するための送風機（クロスフローファン）１０６とが配置されている。また、吹出口１０２ｃには、室内への送風を上下に調節する上下風向板１０８が設けられている。また、吹出口１０２ｃの下部には、駆動部を有し、吹出口１０２ｃの下部を前向きに回動させる可動ディフューザ１１２が設けられている。可動ディフューザ１１２には、室内への送風を左右に調節する左右風向板１０９が取付けられている（例えば、特許文献１参照）。
【０００５】
上下風向板１０８と、可動ディフューザ１１２および左右風向板１０９は運転モードに対応してその位置が変わる。例えば、冷房運転の場合では、上下風向板１０８がほぼ水平方向になるように回動させる。一方、可動ディフューザ１１２および左右風向板１０９は破線で示す位置に保持される。このような状態であれば、吹出口１０２ｃからの冷風を下降させることなく遠くまで送出することができる。
【０００６】
また、暖房運転の場合では、上下風向板１０８を図示されているようなほぼ垂直方向に回動させて吹出口１０２ｃの前方を塞ぐ。一方、可動ディフューザ１１２および左右風向板１０９を実線で示す位置まで回動させて吹出口１０２ｃの前後間をＡからＢへ広げるとともに、左右風向板１０９を吹出口１０２ｃに近づけ、室内への温風の流れを良くするようになっている。このような構成であれば吹出口１０２ｃ付近での乱流を無くすことができ、左右風向板１０９の操作も簡単にできる。
【先行技術文献】
【特許文献】
【０００７】
【特許文献１】特開平８−２８９４８号公報
【発明の概要】
【発明が解決しようとする課題】
【０００８】
しかしながら、従来技術のクロスフローファンを備えた送風路に搭載されている左右風向板１０９が取付けられた可動ディフューザ１１２には、以下の課題を有している。
【０００９】
まず、左右風向板１０９が、クロスフローファン１０６に極端に接近することとなり、騒音の上昇、通風抵抗の増加により風量性能の劣化を招く。また、クロスフローファン１
０６からの空気は、左右風向板１０９を通過した後に、上下風向板１０８を通過するため、左右方向の風向変更性能が良くない。また、送風路１１０内に左右風向板１０９を収納する必要性から、左右風向板１０９を小型にする必要があるため、左右方向の風向変更性能が劣化する。
【００１０】
本発明は、上記従来の課題を解決するもので、風量性能の劣化を低減するとともに、送風変更性能を向上することを目的とする。
【課題を解決するための手段】
【００１１】
前記課題を解決するために、本発明の空気調和機は、空気の取入口と吹出口を有する本体と、前記取入口から取り入れた空気を熱交換する熱交換器と、前記熱交換器において熱交換して前記吹出口から吹き出すための気流を発生させるファンと、前記ファンの下流に配置されて空気の流れを前記吹出口へ案内するリアガイダと、前記リアガイダに対向して配置されたスタビライザと、吹出口に回動可能に設けられ、前記ファンから空気の流れる方向を上下方向に変更する上下風向変更羽根と、前記ファンから空気の流れる方向を左右方向に変更する左右風向変更羽根とを備え、前記左右風向変更羽根は、一端が前記リアガイダまたは前記スタビライザに保持され、他端が前記上下風向変更羽根に保持された、板状の弾性体であるものである。
【００１２】
また、空気の取入口と吹出口を有する本体と、前記取入口から取り入れた空気を熱交換する熱交換器と、前記熱交換器において熱交換して前記吹出口から吹き出すための気流を発生させるファンと、前記ファンの下流に配置されて空気の流れを前記吹出口へ案内するリアガイダと、前記リアガイダに対向して配置されたスタビライザと、吹出口に回動可能に設けられ、前記ファンから空気の流れる方向を上下方向に変更する上下風向変更羽根と、前記ファンから空気の流れる方向を左右方向に変更する左右風向変更羽根とを備え、前記左右風向変更羽根は、一端が前記リアガイダまたは前記スタビライザに保持され、他端が前記上下風向変更羽根に保持されるとともに、複数の板からなり、前記本体の左右方向に前記複数の板を重ね合わせることで、折りたたんだ状態となるものである。
【発明の効果】
【００１３】
本発明によれば、風量性能の劣化を低減するとともに、送風変更性能を向上できる。
【００１４】
本発明によれば、左右風向変更羽根を弾性体材料で形成することにより、伸縮自在となる。そのため、小さな風路空間においても、左右風向変更羽根が収縮され収納可能となる。また、左右風向変更羽根の一端が上下風向変更羽根に取り付けられ、別の一端が風路内の支柱に取り付けられているため、運転時には左右羽根が伸張する。上下風向変更羽根に、左右風向変更羽根を左右方向に稼動させる機構を搭載させる。このような構成にすることにより、左右風向変更を吹き出しの下流で制御でき風向のコントロールを容易にすることができる。また、ファンから離れた位置に左右風向変更羽根が配置され通風抵抗が減少する。
【００１５】
左右風向変更羽根を折りたたみ可能な構成にして、左右風向変更羽根の一端を上下風向変更羽根に取り付ける。別の一端を送風路内に固定された支柱に取り付ける。上下風向変更羽根には、左右風向変更羽根を左右に向ける駆動機構が取り付けられている。左右風向変更羽根は、運転時は開いた状態で吹き出し部の下流に、停止時は閉じた状態で送風路内に収納される。このような構成にすることにより、前記弾性材料で形成された左右風向変更羽根と同じ効果を得ることができる。
【図面の簡単な説明】
【００１６】
【図１】図１は本発明に係る第１の実施の形態の空気調和機における室内機の構成を示す縦断面図である。
【図２】図２は本発明に係る第１の実施の形態の空気調和機における空調運転時の状態を示す縦断面図である。
【図３】図３は本発明に係る第２の実施の形態の空気調和機における室内機の構成を示す縦断面図である。
【図４】図４は本発明に係る第２の実施の形態の空気調和機における空調運転時の状態を示す縦断面図である。
【図５】図５は従来の空気調和機における室内機の外観を表す斜視図
【図６】図６は従来の空気調和機における室内機の縦断面図
【発明を実施するための形態】
【００１７】
第１の発明は、空気の取入口と吹出口を有する本体と、前記取入口から取り入れた空気を熱交換する熱交換器と、前記熱交換器において熱交換して前記吹出口から吹き出すための気流を発生させるファンと、前記ファンの下流に配置されて空気の流れを前記吹出口へ案内するリアガイダと、前記リアガイダに対向して配置されたスタビライザと、吹出口に回動可能に設けられ、前記ファンから空気の流れる方向を上下方向に変更する上下風向変更羽根と、前記ファンから空気の流れる方向を左右方向に変更する左右風向変更羽根とを備え、前記左右風向変更羽根は、一端が前記リアガイダまたは前記スタビライザに保持され、他端が前記上下風向変更羽根に保持された、板状の弾性体であるものである。
【００１８】
これによれば、左右風向変更羽根が伸縮自在となる。そのため、通風路内に左右風向変更羽根が収納可能となる。また、左右風向変更羽根は、上下風向変更羽根に連動して伸縮するので、空調運転時には、伸びた状態の左右風向変更羽根で、空気の流れ方向を左右方向に変更できる。また、左右風向変更羽根は、吹出口の下流で、空気の流れ方向を変更するため、風向変更性能が向上する。また、左右風向変更羽根は、ファンから所定の距離だけ離れた箇所に位置するため、通風抵抗が減少し、風量性能の劣化を低減できる。
【００１９】
第２の発明は、第１の発明において、前記左右風向変更羽根は、一端が支持板を介して、前記リアガイダまたは前記スタビライザに保持されるものである。
【００２０】
これによれば、左右風向変更羽根を確実に保持できる。また、吹出口から誤って手を挿入した場合でも、指先がファンに届くことを防止できる。
【００２１】
第３の発明は、空気の取入口と吹出口を有する本体と、前記取入口から取り入れた空気を熱交換する熱交換器と、前記熱交換器において熱交換して前記吹出口から吹き出すための気流を発生させるファンと、前記ファンの下流に配置されて空気の流れを前記吹出口へ案内するリアガイダと、前記リアガイダに対向して配置されたスタビライザと、吹出口に回動可能に設けられ、前記ファンから空気の流れる方向を上下方向に変更する上下風向変更羽根と、前記ファンから空気の流れる方向を左右方向に変更する左右風向変更羽根とを備え、前記左右風向変更羽根は、一端が前記リアガイダまたは前記スタビライザに保持され、他端が前記上下風向変更羽根に保持されるとともに、複数の板からなり、前記本体の左右方向に前記複数の板を重ね合わせることで、折りたたんだ状態となるものである。
【００２２】
これによれば、左右風向変更羽根が折りたたみ自在となる。そのため、通風路内に左右風向変更羽根が収納可能となる。また、左右風向変更羽根は、上下風向変更羽根に連動して伸縮するので、空調運転時には、伸びた状態の左右風向変更羽根で、空気の流れ方向を左右方向に変更できる。また、左右風向変更羽根は、吹出口の下流で、空気の流れ方向を変更するため、風向変更性能が向上する。また、左右風向変更羽根は、ファンから所定の距離だけ離れた箇所に位置するため、通風抵抗が減少し、風量性能の劣化を低減できる。
【００２３】
以下、本発明の空気調和機に係る実施の形態について、添付の図面を参照しながら説明する。なお、以下の実施の形態の空気調和機においては、具体的な構成について説明するが、本発明は、以下の実施の形態の具体的な構成に限定されるものではなく、同様の技術的思想に基づく構成が適用された各種空気調和機を含むものである。
【００２４】
（実施の形態１）
実施の形態１の空気調和機は、室内機と室外機が冷媒配管及び制御配線等により互いに接続された、所謂セパレート型の空気調和機である。室内機と室外機によりヒートポンプが構成されており、室外機にはコンプレッサが設けられている。実施の形態１の空気調和機における室内機は、室内の壁面に取り付ける壁掛け式室内機である。なお、以下の説明では、室内機において、室内の壁に取付ける側を背面とし、背面に対向する側を前面として説明する。
【００２５】
図１は、本発明に係る実施の形態１の空気調和機における室内機の概略構成を示す縦断面図である。図１は空気調和機の空調運転停止時の状態を示している。図２は実施の形態１の空気調和機における室内機の空調運転時の状態を示す縦断面図である。
【００２６】
図１、図２に示すように、室内機１は、空気の取入口となる前面開口部２ａと上面開口部２ｂ、および熱交換された空気を吹き出す吹出口２ｃとを有する本体２、及び前面パネル３を備えている。本体２の上面の背面側は、水平方向と平行な面で形成されており、上面の前面側は、前面側にいくにしたがって下方に傾斜するように形成されている。本体２の下面の背面側は、水平方向と平行な面で形成されており、下面の前面側は、前面側にいくにしたがって下方に傾斜するように形成されている。本体２の下面の背面側は、水平方向と平行な面で形成されている。吹出口２ｃは平行な面と傾斜する面に亘って設けられている。
【００２７】
本体２の内部には、室内空気に含まれる塵埃を除去するためのフィルタ４と、取り入れた室内空気を熱交換する熱交換器５と、前面開口部２ａ及び上面開口部２ｂからフィルタ４を通して取り入れた室内空気を熱交換器５で熱交換して吹出口２ｃから室内に吹き出すための気流を発生させる貫流ファンであるファン６と、が設けられている。ファン６は、左右両端のいずれかの回転軸において、ファンモータの回転軸に連結されている（図示せず）。
【００２８】
また、室内機１の本体２において、ファン６の下流側から吹出口２ｃの上流側に至る通風路１０は、ファン６の下流側に配置されて空気の流れを案内するリアガイダ７と、このリアガイダ７に対向して配置されたスタビライザ１１と、本体２の両側壁（図示せず）とで形成されている。つまり、通風路１０の上面はスタビライザ１１であり、通風路１０の下面はリアガイダ７である。
【００２９】
リアガイダ７の下流部分とスタビライザ１１の下流部分とによりディフューザが構成されており、ファン６から吹出口２ｃへの通風路１０における流路断面積が徐々に拡大するように構成されている。
【００３０】
なお、上述した用語「スタビライザ」は、ファン６の下流近傍に位置し、ファン６の前部付近に発生する渦を安定化させるための湾曲面形状を有する舌部近傍のみを、スタビライザと称することもあるが、ここでは、この舌部の下流側に位置し、ファン６により搬送される空気の圧力回復を担うディフューザの上側を構成する壁部分（平坦部）も含めて「スタビライザ」という。
【００３１】
リアガイダ７は、ファン６の外側外周に設けられた曲面部と、曲面部の下流側に位置す
る平面部とを備えている。スタビライザ１１の平坦部は、本体２の水平方向と略平行であるが、前面側にいくにしたがって若干、下方に傾斜するように形成されている。スタビライザ１１の平坦部は、本体２の上面の前面側とほぼ平行な面で形成されている。
【００３２】
吹出口２ｃには、当該吹出口２ｃを開閉するとともに、空気の吹き出し方向を上下方向に変更することができる上下風向変更手段である上下風向変更羽根８が設けられている。上下風向変更羽根８は、第１の上下風向変更羽根８ａと第２の上下風向変更羽根８ｂとから構成されている。
【００３３】
第１の上下風向変更羽根８ａの空気の流れ方向の長さ（短手方向の長さ）は、スタビライザ１１の平坦部の空気の流れ方向の長さ（短手方向の長さ）より大きい。また、第２の上下風向変更羽根８ｂの空気の流れ方向の長さ（短手方向の長さ）は、第１の上下風向変更羽根８ａの空気の流れ方向の長さより短い。
【００３４】
第１の上下風向変更羽根８ａは、リアガイダ７の下流側端部（下流端）に回動可能に設けられている。第１の上下風向変更羽根８ａの端部に設けられた駆動軸は、リアガイダ７の下流端に近接して設けられている。第２の上下風向変更羽根８ｂは、吹出口２ｃの上面側、つまり、スタビライザ１１の下流端近傍に回動可能に設けられている。第２の上下風向変更羽根８ｂの端部に設けられた駆動軸は、スタビライザ１１の平坦部から所定の間隔をあけた下方に設けられている。
【００３５】
さらに、室内機１は、吹出口２ｃの内部及び上下風向変更羽根８周りの空気の吹き出し方向を左右に変更することができる左右風向変更手段である左右風向変更羽根９を備えている。左右風向変更羽根９は、本体２の長手方向に複数枚、設けられている。
【００３６】
図１に示すように、左右風向変更羽根９は、第１の左右風向変更羽根９ａと第２の左右風向変更羽根９ｂとから構成されている。第１の左右風向変更羽根９ａは、第２の左右風向変更羽根９ｂより下流側に設けられている。
【００３７】
第１の左右風向変更羽根９ａおよび第２の左右風向変更羽根９ｂは、ぞれぞれ、下端が第１の上下風向変更羽根８ａの上面に取り付けられ、上端は、本体２に設けられた支持板１２に取り付けられている。
【００３８】
支持板１２は、本体２の長手方向に複数枚、設けられている。支持板１２の枚数は、左右風向変更羽根９の枚数に対応している。支持板１２の上端は、スタビライザ１１に取り付けられている。望ましくは、スタビライザ１１のうち、舌部の下流側に位置する平坦部に取り付けられている。
【００３９】
支持板１２の下端のうち背面側は、リアガイダ７に取り付けられている。望ましくは、リアガイダ７のうち、曲面部の下流側に位置する平面部に取り付けられている。支持板１２の下端のうち前面側には、第１の左右風向変更羽根９ａの上端が取り付けられる第１の凹部１２ａと、第２の左右風向変更羽根９ｂの上端が取り付けられる第２の凹部１２ｂとがそれぞれ設けられている。第１の凹部１２ａの深さは、第２の凹部１２ｂの深さより、長い。
【００４０】
支持板１２の下流端は、下方に向かうにしたがって背面側に向かうように傾斜している。これによって、支持板１２は、上下風向変更羽根８が可動しても、上下風向変更羽根８、特に、第２の上下風向変更羽根８ｂに干渉しない。また、支持板１２の下端は、本体２の下面と略平行である。これによって、支持板１２は、上下風向変更羽根８が可動しても、上下風向変更羽根８、特に、第１の上下風向変更羽根８ａに干渉しない。
【００４１】
支持板１２の上流端のうち少なくとも前面側は、下流側に突出する円弧状となっている。この円弧状の曲率は、ファン６の外径の曲率より大きい。これによって、支持板１２は、ファン６に干渉しない。
【００４２】
第１の左右風向変更羽根９ａおよび第２の左右風向変更羽根９ｂは、上下方向に伸縮する板状の弾性体である。弾性体としては、例えば、ゴムがある。また、第１の左右風向変更羽根９ａの上下方向の長さは、第２の左右風向変更羽根９ｂの上下方向の長さより長い。第１の左右風向変更羽根９ａは、第２の左右風向変更羽根９ｂより伸縮しやすい、つまり、引張り弾性率が小さいことが望ましい。例えば、第１の左右風向変更羽根９ａと第２の左右風向変更羽根９ｂとが同じ材質であっても、第１の左右風向変更羽根９ａの板厚が第２の左右風向変更羽根９ｂの板厚より小さいことが望ましい。
【００４３】
第１の左右風向変更羽根９ａおよび第２の左右風向変更羽根９ｂのそれぞれは、上端または下端の中央部に、上端または下端より突出する回転軸を備えている。一方、支持板１２または第１の上下風向変更羽根８aには、回転軸を挿入するための穴形状をした軸受が設けられている。
【００４４】
複数枚の左右風向変更羽根９の回転軸を、それぞれ、軸受に挿入することで、左右方向に回動可能に設けられている。左右風向変更羽根９の回転軸を備えていない側の端は固定されているので、左右風向変更羽根９の回転軸を回動すると、左右風向変更羽根９は、ねじれた状態となる。
【００４５】
また、複数枚の左右風向変更羽根９のそれぞれは、上端側または下端側に連結桟（図示せず）をさらに備えている。連結桟は、吹出口２ｃの長手方向（本体２の幅方向）に亘る桟であり、左右両端のいずれかにおいて、モータとギア等で構成された駆動装置に連結されている（図示せず）。そして、この駆動装置の動作により、連結桟を、左右方向に動かすことができる。これによって、複数枚の左右風向変更羽根９のすべてを同一方向に向けることができる。
【００４６】
なお、連結桟を本体２の右側と左側とで独立して設けて、複数枚の左右風向変更羽根９のうち本体２の右側に位置する複数の左右風向変更羽根と、本体２の左側に位置する複数の左右風向変更羽根とをそれぞれ独立に同一方向に向けることができるようにしてもよい。また、第１の上下風向変更羽根８ａを中空構造として、連結桟を、第１の上下風向変更羽根８ａの内部に設けてもよい。
【００４７】
第１の左右風向変更羽根９ａと第２の左右風向変更羽根９ｂとが協働して、吹出口２ｃから吹き出される空気の左右方向の吹き出し方向を制御している。なお、第１の左右風向変更羽根９ａと第２の左右風向変更羽根９ｂの方向は、使用者がリモコン等で設定した吹き出し方向等に応じて、制御装置（図示せず）により決定される。
【００４８】
以上のように構成された空気調和機について、以下その動作、作用について説明する。
【００４９】
まず、空気調和機の空調運転停止時について説明する。図１に示すように、第１の上下風向変更羽根８ａが吹出口２ｃの下方を閉じる。第１の左右風向変更羽根９ａおよび第２の左右風向変更羽根９ｂは、第１の上下風向変更羽根８ａに連動して、縮んだ状態となり、第１の凹部１２ａおよび第２の凹部１２ｂ内に収納される。
【００５０】
次に、空気調和機の空調運転時について説明する。空気調和機が空調運転を開始すると、第１の上下風向変更羽根８ａ、第２の上下風向変更羽根８ｂが開動作を行い、吹出口２
ｃが開放される。第１の上下風向変更羽根８ａが下方に回動するにしたがって、左右風向変更羽根９は、上端を支持板１２に、下端を第１の上下風向変更羽根８ａに固定されたまま、伸びる。
【００５１】
空調運転停止時に、吹出口２ｃを第１の上下風向変更羽根８ａと第２の上下風向変更羽根８ｂとで覆った状態における第１の上下風向変更羽根８ａおよび第２の上下風向変更羽根８ｂの下面（前面）を「デザイン面」と定義すると、空調運転時に、第１の上下風向変更羽根８ａが開いた状態では、第１の左右風向変更羽根９ａおよび第２の左右風向変更羽根９ｂの少なくとも一部は、デザイン面より下方に位置する。つまり、空調運転時には、第１の左右風向変更羽根９ａおよび第２の左右風向変更羽根９ｂの少なくとも一部は、吹出口２ｃより下流に位置する。または、空調運転時には、第１の左右風向変更羽根９ａおよび第２の左右風向変更羽根９ｂの少なくとも一部は、本体２の外部に配置される。
【００５２】
このように前面開口部２ａおよび吹出口２ｃが開放された状態でファン６が駆動されて、室内空気が前面開口部２ａ及び上面開口部２ｂを通して室内機１の内部に取り入れられる。取り入れられた室内空気は、フィルタ４を通り、熱交換器５において熱交換されて、ファン６に吸い込まれる。ファン６に吸い込まれた熱交換された空気は、ファン６の下流側に形成された通風路１０を通り、吹出口２ｃより吹き出される。
【００５３】
ファン６からの空気が通風路１０を通過するとき、ファン６の下流側に配置されたリアガイダ７およびスタビライザ１１によりファン６からの空気が案内されて、吹出口２ｃから吹き出される。貫流ファンであるファン６からの空気は、リアガイダ７の曲面部に沿って流れて、吹出口２ｃから吹き出される。
【００５４】
第１の上下風向変更羽根８ａは、リアガイダ７の下流の吹出口２ｃに設けられて、吹出口２ｃから吹き出される空気をスムーズに所望の領域に到達させることができる。特に、第１の上下風向変更羽根８ａは、リアガイダ７を延長した位置にあり、吹出口２ｃからの空気に対して高い整流効果を発揮するディフューザとしての機能を有する。
【００５５】
例えば、図２に示すように、第１の上下風向変更羽根８ａの上面とリアガイダ７の平面部とが、略同一の平面に位置する状態では、第１の上下風向変更羽根８ａが、リアガイダ７の一部として機能する。
【００５６】
第１の左右風向変更羽根９ａおよび第２の左右風向変更羽根９ｂは、リアガイダ７で整流された流れを円滑に所望の左右方向に風向を制御することができる。
【００５７】
以上のように、本実施の形態の空気調和機は、空調運転停止時には、左右風向変更羽根９を縮めて、本体２に収納できるため、室内機１をコンパクト化することができる。また、空調運転時には、左右風向変更羽根９を伸ばし、左右風向変更羽根９の少なくとも一部を下流（外部）に移動させることができるため、ファン６との距離が長くなり風速が減速して左右風向変更羽根９に到達するため通風抵抗が減少して送風性能が向上する。
【００５８】
また、空調運転時には、スタビライザ１１と第１の上下風向変更羽根８ａとに挟まれた領域に、左右風向変更羽根９が配置されるため風向性能が向上する。
【００５９】
また、支持板１２は、吹出口２ｃの長手方向に複数枚、配置されている。このため、空調運転時に、使用者が指などを、吹出口２ｃから挿入した場合にも、指がファン６に届くのを防止することができる。
【００６０】
なお、本実施の形態では、上下風向変更羽根８は、第１の上下風向変更羽根８ａと第２
の上下風向変更羽根８ｂとから構成されているものとして説明したが、第１の上下風向変更羽根８ａと第２の上下風向変更羽根８ｂのいずれか一方であってもよい。
【００６１】
左右風向変更羽根９は、上端と下端のいずれか一方が回動するものとして説明したが、左右風向変更羽根９の上端および下端の中央部に、上端または下端より突出する回転軸を設け、上端と下端がともに、回動するようにしてもよい。
【００６２】
また、左右風向変更羽根９は、上端が支持板１２の下方に取り付けられ、下端が上下風向変更羽根８に取り付けられるものとして説明したが、下端が支持板１２の上方に取り付けられ、上端が上下風向変更羽根８に取り付けられるものであってもよい。
【００６３】
（実施の形態２）
図３は、本発明に係る実施の形態２の空気調和機における室内機の概略構成を示す縦断面図である。図３は空気調和機の空調運転停止時の状態を示している。図４は実施の形態２の空気調和機における室内機の空調運転時の状態を示す縦断面図である。本実施の形態において、実施の形態１と共通する部分は説明を省略し、異なる部分を主に説明する。
【００６４】
図３に示すように、本実施の形態における左右風向変更羽根は、左右風向変更羽根１９である。第１の左右風向変更羽根９ａは、第２の左右風向変更羽根９ｂより下流側に設けられている。左右風向変更羽根１９は、下端が第１の上下風向変更羽根８ａの上面に取り付けられ、上端は、スタビライザ１１の平坦部に取り付けられている。
【００６５】
左右風向変更羽根１９は、複数枚の矩形状の板を、上下方向に連結してある。これによって、左右風向変更羽根１９は、複数枚の矩形状の板を、本体２の左右方向に重ね合わせることで、折りたたんだ状態とすることができる。  空調運転停止時には、図３に示すように、上下風向変更羽根８が閉じられた状態で、左右風向変更羽根１９は、第１の上下風向変更羽根８ａに連動して、折りたたまれた状態で通風路１０内に収納されている。
【００６６】
空調運転時には、図４に示すように、上下風向変更羽根８が開いた状態で、左右風向変更羽根１９は、第１の上下風向変更羽根８ａに連動して、開いた状態になる。つまり、空調運転時には、左右風向変更羽根１９の少なくとも一部は、吹出口２ｃより下流に位置する。または、空調運転時には、左右風向変更羽根１９の少なくとも一部は、本体２の外部に配置される。
【００６７】
以上のように、本実施の形態の空気調和機は、空調運転停止時には、左右風向変更羽根１９を折りたたんで、本体２に収納できるため、室内機１をコンパクト化することができる。また、空調運転時には、左右風向変更羽根９の重ね合わせることなく、左右風向変更羽根１９の少なくとも一部を下流（外部）に移動させることができるため、ファン６との距離が長くなり風速が減速して左右風向変更羽根１９に到達するため通風抵抗が減少して送風性能が向上する。
【００６８】
また、空調運転時には、スタビライザ１１と第１の上下風向変更羽根８ａに挟まれた領域に、左右風向変更羽根９が配置されるため風向性能が向上する。
【産業上の利用可能性】
【００６９】
本発明の空気調和機は、左右方向の風向変更性能を向上させることができ、吹出口からの空気に対して高い整流効果を発揮することができる。また、左右風向変更羽根を風速の低い箇所に位置させることで、通風抵抗を軽減し、送風性能を向上できる。また、吹出口から誤って手を挿入した場合でも、左右風向変更羽根が手の挿入を防止し、また、ファンまでの距離を確保して指先がファンに届くことを防止し、安全確保できる。このように、
業務用及び一般家庭等で使用される空気調和機として有用である。
【符号の説明】
【００７０】
１  室内機
２  本体
２ａ  前面開口部
２ｂ  上面開口部
２ｃ  吹出口
３  前面パネル
４  フィルタ
５  熱交換器
６  ファン
７  リアガイダ
８  上下風向変更羽根
８ａ  第１の上下風向変更羽根
８ｂ  第２の上下風向変更羽根
９、１９  左右風向変更羽根
９ａ  第１の左右風向変更羽根
９ｂ  第２の左右風向変更羽根
１０  通風路
１１  スタビライザ
１２  支持板
１０１  筐体
１０２  本体
１０３  前面カバー
１０２ａ、１０２ｂ  吸込口
１０２ｃ  吹出口
１０４  エアーフィルタ
１０５  室内熱交換器
１０６  送風機（クロスフローファン）
１０８  上下風向板
１０９  左右風向板
１１０  空気通路（送風路）
１１２  可動ディフューザ
【図１】
2017161185.tif 000003
【図２】
2017161185.tif 000004
【図３】
2017161185.tif 000005
【図４】
2017161185.tif 000006
【図５】
2017161185.tif 000007
【図６】
2017161185.tif 000008